(57)【要約】【課題】防塵フィルタを自動的に交換することができ、かつ、防塵フィルタの風の流路にまだ位置させていない使用部分の残量が所定の量以下になったことを管理者が能動的に調べなくても知ることを可能とする。【解決手段】ＢＭＣ１５は、風量センサ１３および温度センサ１４からそれぞれ受け取った風量および温度差に基づいて、防塵フィルタ２の目詰まり状態を検知する。ＢＭＣ１５は、風量センサ１３および温度センサ１４から受け取った値が所定の境界条件を超えた場合に、防塵フィルタ２が目詰まりしていると判定し、上部モータ３および下部モータ４を動作させて、まだ風の流路に位置させていない防塵フィルタ２に交換する。また、ＢＭＣ１５は、上部モータ３の内部にストックしているまだ風の流路に位置させていない防塵フィルタ２の使用部分の残量が所定の量以下になったか否かを判定し、残量が所定の量以下になった場合、報知する。【選択図】図２
2012066190.tif 000002
【特許請求の範囲】
【請求項１】
風の発生装置を備える機器の風の流路を横断して覆うことができる使用部分を２カ所以上有する防塵フィルタと、
前記風の発生装置によって発生する前記流路を通過する気体の風量を検出する風量検出手段と、
前記風量が所定の境界条件を超えているか否かで、前記防塵フィルタが目詰まりしているか否かを判定する目詰まり判定手段と、
前記目詰まり判定手段が前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動手段と、
前記防塵フィルタのまだ前記流路に位置させていない使用部分の残量が所定の量以下であるか否かを判定する残量判定手段と、
前記残量判定手段が、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知手段と、
を備えることを特徴とする防塵フィルタ自動交換装置。
【請求項２】
前記機器の内部と外部との温度差を検出する温度検出手段をさらに備え、
前記目詰まり判定手段は、前記風量および前記温度差の少なくとも一方が所定の境界条件を超えているか否かで、前記防塵フィルタが目詰まりしているか否かを判定することを特徴とする請求項１に記載の防塵フィルタ自動交換装置。
【請求項３】
前記防塵フィルタは連続シートであり、
前記移動手段は、前記流路に位置させている前記防塵フィルタの面内で、前記流路に移動させる前記位置させていない使用部分とは反対方向に前記防塵フィルタを移動させることを特徴とする請求項１または２に記載の防塵フィルタ自動交換装置。
【請求項４】
前記風の発生装置が故障している否かを判定する故障判定手段と、
前記故障判定手段が前記風の発生装置が故障していると判定した場合に、前記風の発生装置が故障していることを報知する第２報知手段と、をさらに備え、
前記故障判定手段が前記風の発生装置が故障していると判定した場合、前記目詰まり判定手段は、前記防塵フィルタが目詰まりしていないと判定することを特徴とする請求項１ないし３のいずれか１項に記載の防塵フィルタ自動交換装置。
【請求項５】
前記残量判定手段は、前記移動手段が前記防塵フィルタのまだ前記流路に位置させていない使用部分を前記流路に移動させた回数に基づいて、前記防塵フィルタのまだ前記流路に位置させていない使用部分の残量が所定の量以下であるか否かを判定することを特徴とする請求項１ないし４のいずれか１項に記載の防塵フィルタ自動交換装置。
【請求項６】
風の発生装置を備える機器に適用する防塵フィルタ自動交換装置が実行する防塵フィルタ自動交換方法であって、
前記風の発生装置によって発生する風の流路を通過する気体の風量を検出する風量検出ステップと、
前記風量が所定の境界条件を超えているか否かで、前記流路を横断して覆うことができる使用部分を２カ所以上有する防塵フィルタが目詰まりしているか否かを判定する目詰まり判定ステップと、
前記目詰まり判定ステップで前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動ステップと、
前記防塵フィルタのまだ前記流路に位置させていない使用部分の残量が所定の量以下であるか否かを判定する残量判定ステップと、
前記残量判定ステップで、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知ステップと、
を備えることを特徴とする防塵フィルタ自動交換方法。
【請求項７】
前記機器の内部と外部との温度差を検出する温度検出ステップをさらに備え、
前記目詰まり判定ステップでは、前記風量および前記温度差の少なくとも一方が所定の境界条件を超えているか否かで、前記防塵フィルタが目詰まりしているか否かを判定することを特徴とする請求項６に記載の防塵フィルタ自動交換方法。
【請求項８】
前記防塵フィルタは連続シートであり、
前記移動ステップでは、前記流路に位置させている前記防塵フィルタの面内で、前記流路に移動させる前記位置させていない使用部分とは反対方向に前記防塵フィルタを移動させることを特徴とする請求項６または７に記載の防塵フィルタ自動交換方法。
【請求項９】
前記風の発生装置が故障している否かを判定する故障判定ステップと、
前記故障判定ステップで前記風の発生装置が故障していると判定した場合に、前記風の発生装置が故障していることを報知する第２報知ステップと、をさらに備え、
前記故障判定ステップで前記風の発生装置が故障していると判定した場合、前記目詰まり判定ステップでは、前記防塵フィルタが目詰まりしていないと判定することを特徴とする請求項６ないし８のいずれか１項に記載の防塵フィルタ自動交換方法。
【請求項１０】
コンピュータに、
機器が備える風の発生装置によって発生する風の流路を通過する気体の風量を検出する風量検出ステップと、
前記風量が所定の境界条件を超えているか否かで、前記流路を横断して覆うことができる使用部分を２カ所以上有する防塵フィルタが目詰まりしているか否かを判定する目詰まり判定ステップと、
前記目詰まり判定ステップで前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動ステップと、
前記防塵フィルタのまだ前記流路に位置させていない使用部分の残量が所定の量以下であるか否かを判定する残量判定ステップと、
前記残量判定ステップで、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知ステップと、
を実行させることを特徴とするプログラム。
【発明の詳細な説明】
【技術分野】
【０００１】
本発明は、風の発生装置を備える機器の防塵フィルタを自動で交換する技術に関する。
【背景技術】
【０００２】
防塵フィルタの目詰まりを検知し、防塵フィルタを自動で交換する技術が存在する。
【０００３】
たとえば、特許文献１は、吸気管内に発生させた吸気圧を圧力センサにより検出し、所要の設定吸気圧を保持するように制御する吸気圧制御装置を有する精紡機において、吸気圧が所要の警報設定値を越えて上昇し、かつ所要の遅延時聞を経過したことによりフィルタを交換すべく判定するフィルタ交換判定装置と、このフィルタ交換判定装置の交換指令によりフィルタを自動的に交換するフィルタオートチェンジャとを備えたことを特徴とする精紡機用吸気管フィルタ自動交換制御装置を開示している。
【０００４】
特許文献２は、エアーフィルタの目詰まり状態を正確に把握してエアーフィルタを自動的に交換し、また目詰まり検出精度の向上をはかるエアーフィルタの自動交換装置を開示している。特許文献２の技術では、外気を取り入れ、装置内部の空気を清浄化するエアーフィルタは無端エンドレス状に形成され上下にベルト歯車を有する。エアーフィルタへの塵埃付着（目詰まり）に伴い風量計から送風機部の風量減少データが、またサーミスタから温度上昇に伴う抵抗値減少データが判定部に入り、予め設定したしきい値を超えたとき判定部はスイッチを動作させてモータ部に電源を供給しエアーフィルタ駆動部および歯車を動かす。これによりベルト歯車及びエアーフィルタが移動し、目詰まりしていないエアーフィルタの未使用部分が使用位置にきて自動的に交換が行われる。
【０００５】
特許文献３は、フィルタに目詰まりが生じた場合には、自動的に新しいフィルタに置き換えられるようにする吸気装置を備えた画像形成装置を開示している。特許文献３の画像形成装置は、吸気ダクトと、吸気ファンと、フィルタと、フィルタを移動可能に支持する可動支持手段と、電動モータと、吸気ダクト中の風速を検知する風速計と、コントローラとを備えている。コントローラは、風速計により検知された風速が所定値未満又は以下と判断したとき、電動モータを用いて可動支持手段を駆動してフィルタを所定量だけ移動させてからフィルタの移動を停止する。
【０００６】
特許文献４は、フィルタ交換を自動的に行うことによって静圧室内のフィルタ交換の際の作業環境の改善、作業工数の低減を図ることができる塗装室天井フィルタ自動交換システムを開示している。特許文献４の塗装室天井フィルタ自動交換システムは、静圧室内の空気の圧力を測定し、測定された空気圧に基づきフィルタ交換を指示する。塗装室天井フィルタ自動交換システムは、フィルタ交換が指示されると、フィルタ押さえ枠を上下動させ、ロール状フィルタを巻き取りながら塗装室天井部に未使用のフィルタを設置する。
【先行技術文献】
【特許文献】
【０００７】
【特許文献１】実開昭６０−１７７９６９号公報
【特許文献２】特開２００１−１１３１１１号公報
【特許文献３】特開２００８−０９６８８５号公報
【特許文献４】特開２００９−１９５７８７号公報
【発明の概要】
【発明が解決しようとする課題】
【０００８】
関連する技術では、管理者は、自動交換用のフィルタの未使用部分の残量を目視で確認しなければならないという問題点がある。フィルタの交換を自動にしたことによって、管理者のファイルタを交換しなければならないという意識が薄れ、自動交換用のフィルタの未使用部分の残量のチェックを怠ってしまう可能性がある。また、フィルタの未使用部分の残量を定期的にチェックすることは管理者にとって負担である。
【０００９】
特許文献１ないし４に記載の技術は、自動交換用のフィルタの未使用部分の残量が所定の量以下になったとき、管理者に報知するものではない。
【００１０】
本発明は、防塵フィルタを自動的に交換することができ、かつ、防塵フィルタのまだ風の流路に位置させていない使用部分の残量が所定の量以下になったことを管理者が能動的に調べに行かなくても知ることができる防塵フィルタ自動交換装置、防塵フィルタ自動交換方法およびプログラムを提供することを目的とする。
【課題を解決するための手段】
【００１１】
本発明の第１の観点に係る防塵フィルタ自動交換装置は、
風の発生装置を備える機器の風の流路を横断して覆うことができる使用部分を２カ所以上有する防塵フィルタと、
前記風の発生装置によって発生する前記流路を通過する気体の風量を検出する風量検出手段と、
前記風量が所定の境界条件を超えているか否かで、前記防塵フィルタが目詰まりしているか否かを判定する目詰まり判定手段と、
前記目詰まり判定手段が前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動手段と、
前記防塵フィルタのまだ前記流路に位置させていない使用部分の残量が所定の量以下であるか否かを判定する残量判定手段と、
前記残量判定手段が、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知手段と、
を備えることを特徴とする。
【００１２】
本発明の第２の観点に係る防塵フィルタ自動交換方法は、
風の発生装置を備える機器に適用する防塵フィルタ自動交換装置が実行する防塵フィルタ自動交換方法であって、
前記風の発生装置によって発生する風の流路を通過する気体の風量を検出する風量検出ステップと、
前記風量が所定の境界条件を超えているか否かで、前記流路を横断して覆うことができる使用部分を２カ所以上有する防塵フィルタが目詰まりしているか否かを判定する目詰まり判定ステップと、
前記目詰まり判定ステップで前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動ステップと、
前記防塵フィルタのまだ前記流路に位置させていない使用部分の残量が所定の量以下であるか否かを判定する残量判定ステップと、
前記残量判定ステップで、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知ステップと、
を備えることを特徴とする。
【００１３】
本発明の第３の観点に係るプログラムは、コンピュータに、
機器が備える風の発生装置によって発生する風の流路を通過する気体の風量を検出する風量検出ステップと、
前記風量が所定の境界条件を超えているか否かで、前記流路を横断して覆うことができる使用部分を２カ所以上有する防塵フィルタが目詰まりしているか否かを判定する目詰まり判定ステップと、
前記目詰まり判定ステップで前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動ステップと、
前記防塵フィルタのまだ前記流路に位置させていない使用部分の残量が所定の量以下であるか否かを判定する残量判定ステップと、
前記残量判定ステップで、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知ステップと、
を実行させることを特徴とする。
【発明の効果】
【００１４】
本発明によれば、防塵フィルタを自動的に交換することができ、かつ、防塵フィルタのまだ風の流路に位置させていない使用部分の残量が所定の量以下になったことを管理者が能動的に調べに行かなくても知ることができる。
【図面の簡単な説明】
【００１５】
【図１】本発明の実施の形態に係る防塵フィルタ自動交換装置を適用したサーバの外観を示す図である。
【図２】本発明の実施の形態に係る防塵フィルタ自動交換装置を適用したサーバの構成例を示すブロック図である。
【図３】本発明の実施の形態に係るＢＭＣの機能構成例を示すブロック図である。
【図４】実施の形態に係る風量センサが検出する風量の値および温度センサが検出する温度差の値の時間変化を示す図である。
【図５】実施の形態に係る風量及び温度差の境界条件の例を示す図である。
【図６】実施の形態に係る防塵フィルタ自動交換の動作の一例を示すフローチャートである。
【図７】本発明の実施の形態に係るベースボードマネージメントコントローラのハードウェア構成の一例を示すブロック図である。
【発明を実施するための形態】
【００１６】
以下に、発明を実施するための形態について図面を参照して詳細に説明する。なお、図中同一または相当する部分には同じ符号を付す。
【００１７】
図１は、本発明の実施の形態に係る防塵フィルタ自動交換装置を適用したサーバの外観を示す図である。サーバ１のフロントベゼルは、ローラ型の上部モータ３および下部モータ４と、連続シートの防塵フィルタ２を内蔵している。防塵フィルタ２は、使用部分が風の流路であるサーバ１の前面を覆っている。上部モータ３の内部には防塵フィルタ２のまだサーバ１の前面に位置させていない使用部分がロール状にストックされている。下部モータ４の内部には防塵フィルタ２の目詰まりしていると判定された使用部分がロール状に巻き取られている。上部モータ３および下部モータ４が回転することにより、サーバ１の前面に位置させている防塵フィルタ２の面内で、次にサーバ１の前面に移動させるまだサーバ１の前面に位置させていない使用部分とは反対方向に防塵フィルタ２が移動する。これにより、まだサーバ１の前面に位置させていない使用部分がサーバ１の前面に移動する。また、サーバ１を冷却する風はサーバ１の前面から後ろへと流れる。
【００１８】
なお、防塵フィルタ２のまだサーバ１の前面に位置させていない使用部分および目詰まりしていると判定された使用部分は、ロール状に保持されていなくてもよい。たとえば、屏風状に折りたたまれていてもよい。また、防塵フィルタ２は、連続シートでなく、枚葉式であってもよい。
【００１９】
図２は、本発明の実施の形態に係る防塵フィルタ自動交換装置を適用したサーバの構成例を示すブロック図である。図２の例では、サーバ１は、防塵フィルタ２、上部モータ３、下部モータ４、マザーボード１１、ＣＰＵ１２、風量センサ１３、温度センサ１４、ＢＭＣ（ベースボードマネージメントコントローラ）１５および冷却ファン１６を備える。このうちの、防塵フィルタ２、上部モータ３、下部モータ４、風量センサ１３、温度センサ１４およびＢＭＣ（ベースボードマネージメントコントローラ）１５で防塵フィルタ自動交換装置は構成される。ＢＭＣ１５は、防塵フィルタ２、上部モータ３、下部モータ４、風量センサ１３および温度センサ１４を制御する。
【００２０】
マザーボード１１上には、ＣＰＵ１２、風量センサ１３、温度センサ１４、ＢＭＣ１５が設置されている。
【００２１】
ＣＰＵ１２は、サーバ１を制御するＣＰＵ（Central Processing Unit）である。防塵フィルタ自動交換装置は、防塵フィルタ２の目詰まりによってＣＰＵ１２を冷却する気体の風量が減少し、サーバ１内の温度上昇によりＣＰＵ１２が故障することを予防する。
【００２２】
風量センサ１３は、冷却ファン１６によって発生するサーバ１の前面から後ろに流れる気体の風量を検出し、その値をＢＭＣ１５に送る。
【００２３】
温度センサ１４は、サーバ１の内部と外部との温度差を検出し、その値をＢＭＣ１５に送る。外部温度がほぼ一定とみなせる場合は、サーバ１の内部の温度を検出するだけでもよい。
【００２４】
ＢＭＣ１５は、風量センサ１３および温度センサ１４からそれぞれ受け取った風量の値および温度差の値に基づいて、防塵フィルタ２の目詰まり状態を検知する。ＢＭＣ１５は、あらかじめ記憶しているの温度差と風量のテーブルを参照し、風量センサ１３および温度センサ１４から受け取った値が所定の境界条件を超えた場合に、防塵フィルタ２が目詰まりしていると判定する。ＢＭＣ１５は、防塵フィルタ２が目詰まりしていると判定すると、上部モータ３および下部モータ４を動作させて、防塵フィルタ２の目詰まりしていると判定した使用部分をサーバ１の前面にまだ位置させていない使用部分に交換する。さらに、ＢＭＣ１５は、上部モータ３の内部にストックしている防塵フィルタ２のサーバ１の前面にまだ位置させていない使用部分の残量が所定の量以下になったか否かを判定し、防塵フィルタ２のサーバ１の前面にまだ位置させていない使用部分の残量が所定の量以下になった場合、報知する。なお、ＢＭＣ１５は、ＣＰＵ１２とは独立して、防塵フィルタ自動交換装置を制御する。
【００２５】
図３は、本発明の実施の形態に係るＢＭＣの機能構成例を示すブロック図である。ＢＭＣ１５は、風量取得部１５１、温度差取得部１５２、目詰まり判定部１５３、記憶部１５４、出力部１５５、残量判定部１５６、報知部１５７を備える。
【００２６】
風量取得部１５１は、風量センサ１３から冷却ファン１６によって発生した気体の風量の値を取得する。
【００２７】
温度差取得部１５２は、温度センサ１４からサーバ１の内部と外部との温度差の値を取得する。
【００２８】
目詰まり判定部１５３は、風量取得部１５１が取得した風量の値と、温度差取得部１５２が取得した温度差の値とが、記憶部１５４が記憶する境界条件を超えているか否かを判定する。境界条件を超えていた場合は、目詰まり判定部１５３は、防塵フィルタ２が目詰まりしていると判定し、出力部１５５に上部モータ３および下部モータ４を駆動させる。
【００２９】
記憶部１５４は、防塵フィルタ２を交換するか否かを判断するための境界条件をあらかじめ記憶している。
【００３０】
出力部１５５は、目詰まり判定部１５３からの指示により、上部モータ３および下部モータ４を駆動させる信号を出力する。
【００３１】
残量判定部１５６は、出力部１５５が、上部モータ３および下部モータ４を駆動させる信号を出力した回数に基づいて、上部モータ３にストックされている防塵フィルタ２のサーバ１の前面にまだ位置させていない使用部分の残量が所定の量以下になったか否かを判定する。残量が所定の量以下になったと判定した場合は、残量判定部１５６は、報知部１５７に、防塵フィルタ２のサーバ１の前面にまだ位置させていない使用部分の残量が所定の量以下になったことを報知させる。所定の量とは、たとえば、自動交換１回分の量である。
【００３２】
なお、残量判定部１５６は、上部モータ３および下部モータ４を駆動させる信号を出力した回数だけでなく、たとえば、上部モータ３にストックされているロール状の防塵フィルタ２のサーバ１の前面にまだ位置させていない使用部分のロール径や重量で残量が所定の量以下になったか否かを判定してもよい。
【００３３】
報知部１５７は、残量判定部１５６からの指示により、防塵フィルタ２のサーバ１の前面にまだ位置させていない使用部分の残量が所定の量以下になったことを報知する。報知方法はメールを送信してもよいし、警告音を出力してもよいし、ＬＥＤなどのランプを点灯させてもよい。
【００３４】
図４は、実施の形態に係る風量センサが検出する風量の値および温度センサが検出する温度差の値の時間変化を示す図である。図４（ａ）のグラフは、縦軸を風量センサ１３が検出する風量の値、横軸を時間とする。図４（ａ）に示すように、風量センサ１３が検出する風量の値は、時間の経過と共に発生する防塵フィルタ２の目詰まりによって、指数関数的に減少する。図４（ｂ）のグラフは、縦軸を温度センサ１４が検出する温度差の値、横軸を時間とする。図４（ｂ）に示すように、温度センサ１４が検出する温度差の値は、防塵フィルタ２の目詰まりに伴う風量の減少によって、指数関数的に上昇する。
【００３５】
ＢＭＣ１５の目詰まり判定部１５３は、風量の値および温度差の値があらかじめ設定された境界条件を超えていた場合は、防塵フィルタ２が目詰まりしていると判定する。目詰まり判定部１５３が防塵フィルタ２が目詰まりしていると判定した場合、出力部１５５は、上部モータ３および下部モータ４を動作させて、防塵フィルタ２の目詰まりしていると判定した使用部分をサーバ１の前面にまだ位置させていない使用部分に交換する。
【００３６】
防塵フィルタ２がサーバ１の前面にまだ位置させていない使用部分に交換されたことにより、風量センサ１３が検出する風量の値は最大値に戻る。そして、再び時間の経過と主に発生する目詰まりによって、指数関数的に減少する。また、風量センサ１３が検出する風量の値は最大値に戻ったことにより、温度センサ１４が検出する温度差の値は小さくなる。そして、再び防塵フィルタ２の目詰まりに伴う風量の減少によって、指数関数的に大きくなる。これを繰り返し、ＢＭＣ１５があらかじめ設定された境界条件を超えていた場合に上部モータ３および下部モータ４を動作させて防塵フィルタ２の目詰まりしていると判定した使用部分をサーバ１の前面にまだ位置させていない使用部分に交換することにより、風量の値および温度差の値が所定の範囲内に保たれる。
【００３７】
図５は、実施の形態に係る風量及び温度差の境界条件の例を示す図である。図５（ａ）は、記憶部１５４が記憶する風量及び温度差の境界条件を表すデータテーブルの例である。図中の○は防塵フィルタ２の自動交換を行うことを示すフラグである。図５（ａ）の例では、サーバ１内の風量が小さくなれば、サーバ１の内部と外部とが小さい温度差でも防塵フィルタ２の自動交換を行う。また、温度差が大きくなれば、風量が大きくても防塵フィルタ２の自動交換を行う。さらに、サーバ１の内部の温度が、所定の温度（例えば７０℃）を超えた場合、ＣＰＵ１２を保護するため、サーバ１の強制終了を行ってもよい。なお、図５（ａ）のフラグの設定は一例であり、管理者が任意に設定できるものとする。
【００３８】
目詰まり判定部１５３は、このようなデータテーブルを参照し、風量取得部１５１が取得した風量の値に該当する列と、温度差取得部１５２が取得した温度差の値に該当する行とが交差するボックスにフラグ（○）があるか否かを判定する。フラグがあった場合、目詰まり判定部１５３は、出力部１５５に上部モータ３および下部モータ４を駆動させて、防塵フィルタ２の目詰まりしていると判定した使用部分をサーバ１の前面にまだ位置させていない使用部分に交換する。
【００３９】
あるいは、風量及び温度差の時間変化のグラフから、境界条件を設定してもよい。図５（ｂ）は、防塵フィルタ２を交換しなかった場合の、風量および温度差の時間変化を示すグラフを重ねたグラフである。縦軸を風量および温度差の値とし、正の方向に風量および温度差は大きくなる。また、横軸を時間とする。防塵フィルタ２に付着する埃の量が徐々に増加し、防塵フィルタ２が目詰まりを起こすため、時間経過にしたがって風量は指数関数的に減少する。これに伴い、サーバ１の内部の温度差が指数関数的に大きくなる。
【００４０】
たとえば、この風量のグラフと温度差のグラフが交差する点の風量の値Ｐｗおよび温度差の値Ｐｔを境界条件（Ｐｗ,Ｐｔ）とする。すなわち、目詰まり判定部１５３は、風量取得部１５１が取得した風量の値がＰｗ以下になった場合、および／または、温度差取得部１５２が取得した温度差の値がＰｔ以上になった場合、目詰まり判定部１５３は、防塵フィルタ２が目詰まりしていると判定する。そして、出力部１５５は、上部モータ３および下部モータ４を駆動させて、防塵フィルタ２の目詰まりしていると判定した使用部分をサーバ１の前面にまだ位置させていない使用部分に交換する。なお、図５（ｂ）の境界条件は一例であり、管理者が任意に設定できるものとする。
【００４１】
図６は、実施の形態に係る防塵フィルタ自動交換の動作の一例を示すフローチャートである。防塵フィルタ自動交換処理は、サーバ１の電源がＯＮになると開始し、電源がＯＦＦになると終了する。
【００４２】
まず、サーバ１の電源がＯＮになると冷却ファン１６が稼働する。ＢＭＣ１５の風量取得部１５１は、風量センサ１３が検出した風量の値を取得する（ステップＳ１１）。また、温度差取得部１５２は、温度センサ１４が検出したサーバ１内の温度差の値を取得する（ステップＳ１２）。
【００４３】
目詰まり判定部１５３は、記憶部１５４が記憶する境界条件を参照して、取得した風量の値および温度差の値が境界条件を超えるか否かを判定する（ステップＳ１３）。風量の値および温度差の値が境界条件を超えなかった場合（ステップＳ１３；ＮＯ）、ステップＳ１１に戻り、ステップＳ１１〜ステップＳ１３を繰り返す。風量の値および温度差の値が境界条件を超えた場合（ステップＳ１３；ＹＥＳ）、目詰まり判定部１５３は、防塵フィルタ２が目詰まりしていると判定する。目詰まり判定部１５３が防塵フィルタ２が目詰まりしていると判定すると、出力部１５５は上部モータ３および下部モータ４を動作させ、防塵フィルタ２の目詰まりしていると判定した使用部分をサーバ１の前面にまだ位置させていない使用部分に交換する（ステップＳ１４）。
【００４４】
一方、残量判定部１５６は、上部モータ３にストックされた防塵フィルタ２のサーバ１の前面にまだ位置させていない使用部分の残量が所定の量以下になったか否かを判定する（ステップＳ１５）。防塵フィルタ２のサーバ１の前面にまだ位置させていない使用部分の残量が所定の量以下になっていない場合（ステップＳ１５；ＮＯ）、ステップＳ１１に戻り、ステップＳ１１〜ステップＳ１５を繰り返す。防塵フィルタ２のサーバ１の前面にまだ位置させていない使用部分の残量が所定の量以下になった場合（ステップＳ１５；ＹＥＳ）、残量判定部１５６は、報知部１５７に防塵フィルタ２のサーバ１の前面にまだ位置させていない使用部分の残量が所定の量以下になったことを報知させ（ステップＳ１６）、処理を終了する。
【００４５】
以上説明したように、実施の形態の防塵フィルタ自動交換装置によれば、防塵フィルタ２を自動的に交換することができ、かつ、防塵フィルタ２の風の流路にまだ位置させていない使用部分の残量が所定の量以下になったことを管理者が能動的に調べに行かなくても知ることができる。これにより、メンテナンスが容易となるので、自動交換用の防塵フィルタ２の風の流路にまだ位置させていない使用部分の残量切れを防止し、防塵フィルタ自動交換装置を適用した機器の冷却効果を維持することが可能となる。
【００４６】
なお、本実施の形態では、サーバ１内の風量の減少は防塵フィルタ２の目詰まりによるものとしているが、実際には冷却ファン１６の故障による可能性もある。そこで、目詰まり判定部１５３は、風量の減少が冷却ファン１６の故障によるものか否かを判定することとしてもよい。
【００４７】
この場合、目詰まり判定部１５３は、風量の減少が冷却ファン１６の故障によるものであると判定すると、報知部１５７に、管理者に冷却ファン１６の故障を報知させる。また、目詰まり判定部１５３は、風量の減少が冷却ファン１６の故障によるものであると判定すると、温度差取得部１５２が取得した温度差の値とが記憶部１５４が記憶する境界条件を超えていても、防塵フィルタ２が目詰まりしていないと判定する。
【００４８】
また、風量の減少が冷却ファン１６の故障によるものか否かの判定は、たとえば、風量の時間変化のグラフの形に基づいて行う。実際に、防塵フィルタ２の目詰まりによる風量の減少と、冷却ファン１６の故障による風量の減少とを測定して、両者の判定基準となる風量の時間変化のパターンを作成し、あらかじめ記憶部１５４に記憶させるとよい。
【００４９】
また、本実施の形態では、サーバ１内の風量およびサーバ１の内部と外部との温度差に基づいて、防塵フィルタ２の目詰まりを判定する場合を説明した。防塵フィルタ２の目詰まり判定は、サーバ１内の風量のみに基づいて行ってもよいし、サーバ１の内部と外部との温度差のみに基づいて、防塵フィルタ２の目詰まりを判定してもよい。サーバ１の内部と外部との温度差のみに基づいて、防塵フィルタ２の目詰まりを判定する場合、風量と温度差の相関関係を示すデータをあらかじめ記憶し、検出した温度差に対応する風量に基づいて目詰まりを判定してもよい。さらに、外部温度がほぼ一定とみなせる場合や、外部温度が既知の場合などは、内部温度のみに基づいて、防塵フィルタ２の目詰まりを判定してもよい。
【００５０】
また、本実施の形態では、上部モータ３および下部モータ４が回転することにより、ロール連続シート状の防塵フィルタ２が使用位置に移動することとしているが、防塵フィルタ２は、枚葉式であってもよい。この場合、防塵フィルタ２の自動交換はたとえばスライド式で行う。
【００５１】
また、本実施の形態では、本発明の防塵フィルタ自動交換装置をサーバに適用する場合を例に説明した。本実施の形態のフィルタ自動交換装置は、エアコンや空気清浄機、掃除機など、風の発生装置を備える他の機器に適用することも可能である。
【００５２】
図７は、本発明の実施の形態に係るベースボードマネージメントコントローラのハードウェア構成の一例を示すブロック図である。ＢＭＣ（ベースボードマネージメントコントローラ）１５は、図７に示すように、制御部３１、主記憶部３２、外部記憶部３３、操作部３４、表示部３５、入出力部３６および送受信部３７を備える。主記憶部３２、外部記憶部３３、操作部３４、表示部３５、入出力部３６および送受信部３７はいずれも内部バス３０を介して制御部３１に接続されている。
【００５３】
制御部３１はＣＰＵ（Central Processing Unit）等から構成され、外部記憶部３３に記憶されている制御プログラム３９に従って、ＢＭＣ１５の目詰まり判定部１５３および残量判定部１５６の各処理を実行する。
【００５４】
主記憶部３２はＲＡＭ（Random-Access Memory）等から構成され、外部記憶部３３に記憶されている制御プログラム３９をロードし、制御部３１の作業領域として用いられる。
【００５５】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、ＢＭＣ１５の処理を制御部３１に行わせるためのプログラムをあらかじめ記憶し、また、制御部３１の指示に従って、このプログラムが記憶するデータを制御部３１に供給し、制御部３１から供給されたデータを記憶する。ＢＭＣ１５の記憶部１５４は、外部記憶部３３に構成される。
【００５６】
操作部３４はキーボードおよびマウスなどのポインティングデバイス等と、キーボードおよびポインティングデバイス等を内部バス３０に接続するインタフェース装置から構成されている。風量及び温度差の境界条件をあらかじめ入力する場合などは、操作部３４を介して、指示が制御部３１に供給される。
【００５７】
表示部３５は、ＣＲＴ（Cathode Ray Tube）またはＬＣＤ（Liquid Crystal Display）などから構成され、風量及び温度差の境界条件をあらかじめ入力する場合などは、操作画面を表示する。また、防塵フィルタの残量が少なくなったことの報知を、表示部３５に表示してもよい。表示部３５は、発光ダイオード（ＬＥＤ）またはランプなどを備えてもよいし、さらにブザーやスピーカを備えてもよい。ＬＥＤを点灯したりブザーで音響を出力してりして、防塵フィルタの残量が少なくなったことを報知することができる。
【００５８】
入出力部３６は、風量センサ１３、温度センサ１４およびモータ制御部１７と接続するシリアルインタフェースまたはパラレルインタフェースから構成されている。モータ駆動部１７は、図７には示されていない上部モータ３および下部モータ４（図２参照）に接続し、それらを駆動する電力と信号を供給する。制御部３１は、入出力部３６を介して、風量センサ１３および温度センサ１４からそれぞれ検出した風量および温度もしくは温度差のデータを取得する。制御部３１はまた、入出力部３６を介してモータ駆動部１７に指令して、上部モータ３および下部モータ４を作動させる。
【００５９】
送受信部３７は、ネットワークに接続する網終端装置または無線通信装置、およびそれらと接続するシリアルインタフェースまたはＬＡＮ（Local Area Network）インタフェースから構成されている。送受信部３７は、ＢＭＣ１５の報知部１５７として機能する。すなわち、制御部３１は、送受信部３７を介して、ネットワークに接続された端末またはメールサーバなどに、防塵フィルタの残量が少なくなったことを報知する情報を送信する。
【００６０】
図３に示すＢＭＣ１５の風量取得部１５１、温度差取得部１５２、目詰まり判定部１５３、記憶部１５４、出力部１５５、残量判定部１５６および報知部１５７の処理は、制御プログラム３９が、制御部３１、主記憶部３２、外部記憶部３３、操作部３４、表示部３５、入出力部３６および送受信部３７を資源として用いて処理することによって実行する。
【００６１】
その他、前記のハードウェア構成やフローチャートは一例であり、任意に変更および修正が可能である。
【００６２】
制御部３１、主記憶部３２、外部記憶部３３、内部バス３０などから構成される制御処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、該コンピュータプログラムをコンピュータにインストールすることにより、前記の処理を実行するＢＭＣ１５を構成してもよい。また、インターネット等の通信ネットワーク上のサーバ装置が有する記憶装置に該コンピュータプログラムを格納しておき、通常のコンピュータシステムがダウンロード等することでＢＭＣ１５を構成してもよい。
【００６３】
また、ＢＭＣ１５の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６４】
また、搬送波にコンピュータプログラムを重畳し、通信ネットワークを介して配信することも可能である。たとえば、通信ネットワーク上の掲示板(BBS：Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００６５】
上記の実施形態の一部または全部は、以下の付記のようにも記載されうるが、以下には限られない。
【００６６】
（付記１）
風の発生装置を備える機器の風の流路を横断して覆うことができる使用部分を２カ所以上有する防塵フィルタと、
前記風の発生装置によって発生する前記流路を通過する気体の風量を検出する風量検出手段と、
前記風量が所定の境界条件を超えているか否かで、前記防塵フィルタが目詰まりしているか否かを判定する目詰まり判定手段と、
前記目詰まり判定手段が前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動手段と、
前記防塵フィルタのまだ前記流路に位置させていない使用部分の残量が所定の量以下であるか否かを判定する残量判定手段と、
前記残量判定手段が、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知手段と、
を備えることを特徴とする防塵フィルタ自動交換装置。
【００６７】
（付記２）
前記機器の内部と外部との温度差を検出する温度検出手段をさらに備え、
前記目詰まり判定手段は、前記風量および前記温度差の少なくとも一方が所定の境界条件を超えているか否かで、前記防塵フィルタが目詰まりしているか否かを判定することを特徴とする付記１に記載の防塵フィルタ自動交換装置。
【００６８】
（付記３）
前記防塵フィルタは連続シートであり、
前記移動手段は、前記流路に位置させている前記防塵フィルタの面内で、前記流路に移動させる前記位置させていない使用部分とは反対方向に前記防塵フィルタを移動させることを特徴とする付記１または２に記載の防塵フィルタ自動交換装置。
【００６９】
（付記４）
前記風の発生装置が故障している否かを判定する故障判定手段と、
前記故障判定手段が前記風の発生装置が故障していると判定した場合に、前記風の発生装置が故障していることを報知する第２報知手段と、をさらに備え、
前記故障判定手段が前記風の発生装置が故障していると判定した場合、前記目詰まり判定手段は、前記防塵フィルタが目詰まりしていないと判定することを特徴とする付記１ないし３のいずれか１項に記載の防塵フィルタ自動交換装置。
【００７０】
（付記５）
前記残量判定手段は、前記移動手段が前記防塵フィルタのまだ前記流路に位置させていない使用部分を前記流路に移動させた回数に基づいて、前記防塵フィルタのまだ前記流路に位置させていない使用部分の残量が所定の量以下であるか否かを判定することを特徴とする付記１ないし４のいずれか１項に記載の防塵フィルタ自動交換装置。
【００７１】
（付記６）
風の発生装置を備える機器に適用する防塵フィルタ自動交換装置が実行する防塵フィルタ自動交換方法であって、
前記風の発生装置によって発生する風の流路を通過する気体の風量を検出する風量検出ステップと、
前記風量が所定の境界条件を超えているか否かで、前記流路を横断して覆うことができる使用部分を２カ所以上有する防塵フィルタが目詰まりしているか否かを判定する目詰まり判定ステップと、
前記目詰まり判定ステップで前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動ステップと、
前記防塵フィルタのまだ前記流路に位置させていない使用部分の残量が所定の量以下であるか否かを判定する残量判定ステップと、
前記残量判定ステップで、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知ステップと、
を備えることを特徴とする防塵フィルタ自動交換方法。
【００７２】
（付記７）
前記機器の内部と外部との温度差を検出する温度検出ステップをさらに備え、
前記目詰まり判定ステップでは、前記風量および前記温度差の少なくとも一方が所定の境界条件を超えているか否かで、前記防塵フィルタが目詰まりしているか否かを判定することを特徴とする付記６に記載の防塵フィルタ自動交換方法。
【００７３】
（付記８）
前記防塵フィルタは連続シートであり、
前記移動ステップでは、前記流路に位置させている前記防塵フィルタの面内で、前記流路に移動させる前記位置させていない使用部分とは反対方向に前記防塵フィルタを移動させることを特徴とする付記６または７に記載の防塵フィルタ自動交換方法。
【００７４】
（付記９）
前記風の発生装置が故障している否かを判定する故障判定ステップと、
前記故障判定ステップで前記風の発生装置が故障していると判定した場合に、前記風の発生装置が故障していることを報知する第２報知ステップと、をさらに備え、
前記故障判定ステップで前記風の発生装置が故障していると判定した場合、前記目詰まり判定ステップでは、前記防塵フィルタが目詰まりしていないと判定することを特徴とする付記６ないし８のいずれか１項に記載の防塵フィルタ自動交換方法。
【００７５】
（付記１０）
前記残量判定ステップは、前記移動ステップで前記防塵フィルタのまだ前記流路に位置させていない使用部分を前記流路に移動させた回数に基づいて、前記防塵フィルタのまだ前記流路に位置させていない使用部分の残量が所定の量以下であるか否かを判定することを特徴とする付記６ないし９のいずれか１項に記載の防塵フィルタ自動交換方法。
【００７６】
（付記１１）
コンピュータに、
機器が備える風の発生装置によって発生する風の流路を通過する気体の風量を検出する風量検出ステップと、
前記風量が所定の境界条件を超えているか否かで、前記流路を横断して覆うことができる使用部分を２カ所以上有する防塵フィルタが目詰まりしているか否かを判定する目詰まり判定ステップと、
前記目詰まり判定ステップで前記防塵フィルタが目詰まりしていると判定した場合、前記防塵フィルタのまだ前記流路に位置させていない使用部分を前記流路に移動させ、前記防塵フィルタの前記流路に位置させていた使用部分を前記流路から除去する移動ステップと、
前記防塵フィルタのまだ前記流路に位置させていない使用部分の残量が所定の量以下であるか否かを判定する残量判定ステップと、
前記残量判定ステップで、前記防塵フィルタのまだ前記流路に位置させていない使用部分の残量が所定の量以下であると判定した場合、前記防塵フィルタのまだ前記流路に位置させていない使用部分の残量が所定の量以下であることを報知する第１報知ステップと、
を実行させることを特徴とするプログラム。
【符号の説明】
【００７７】
１  サーバ
２  防塵フィルタ
３  上部モータ
４  下部モータ
１１  マザーボード
１２  ＣＰＵ
１３  風量センサ
１４  温度センサ
１５  ＢＭＣ
１６  冷却ファン
１７  モータ駆動部
３１  制御部
３３  主記憶部
３３  外部記憶部
３４  操作部
３５  表示部
３６  入出力部
３７  送受信部
３９  制御プログラム
１５１  風量取得部
１５２  温度差取得部
１５３  目詰まり判定部
１５４  記憶部
１５５  出力部
１５６  残量判定部
１５７  報知部
【図１】
2012066190.tif 000003
【図２】
2012066190.tif 000004
【図３】
2012066190.tif 000005
【図４】
2012066190.tif 000006
【図５】
2012066190.tif 000007
【図６】
2012066190.tif 000008
【図７】
2012066190.tif 000009